(57)【要約】      （修正有）【課題】縦枠と下枠との対向面が段状となっている場合にも止水性を確保できる建具を提供する。【解決手段】戸先枠１２の見付け面には、開口枠の内周に臨む見込み面１２Ｂａを有するように段部１２Ｂを形成するとともに、段部１２Ｂの見込み面１２Ｂａには戸先枠１２の長手方向に沿って装着溝１２Ｃを形成し、下枠１４の端部には、戸先枠１２の見込み面１２Ａに対向する第一対向部分１４Ａと、第一対向部分１４Ａよりも戸先枠１２に向けて突出し、段部１２Ｂの見込み面１２Ｂａに対向する第二対向部分１４Ｂとを形成し、戸先枠１２の装着溝１２Ｃにおいて下枠１４の第二対向部分１４Ｂに対向する部位には、見込み方向に沿った移動を規制した状態で係合部材６０を装着し、第二対向部分１４Ｂを係合部材６０に係合させた。【選択図】図５−２
2017020161.tif 000002
【特許請求の範囲】
【請求項１】
下枠の端部を縦枠の内周側表面に連結した開口枠を備える建具において、
前記縦枠の見付け面には、前記開口枠の内周に臨む見込み面を有するように段部を形成するとともに、前記段部の見込み面には前記縦枠の長手方向に沿って装着溝を形成し、
前記下枠の端部には、前記縦枠の見込み面に対向する第一対向部分と、前記第一対向部分よりも前記縦枠に向けて突出し、前記段部の見込み面に対向する第二対向部分とを形成し、
前記縦枠の装着溝において前記下枠の第二対向部分に対向する部位に係合部材を装着し、
前記第二対向部分を前記係合部材に係合させた
ことを特徴とする建具。
【請求項２】
前記開口枠に開閉可能に支持させた面材を備え、
前記面材の戸先部分には、前記段部の見付け面を覆うヒレ部を設け、
前記縦枠の装着溝において前記下枠よりも上方となる部位には、前記面材のヒレ部に接触する止水材を装着した
ことを特徴とする請求項１に記載の建具。
【請求項３】
前記ヒレ部は、前記面材の戸先部分から表面に沿って直線状に延在し、前記段部よりも前記開口枠の内周側に配置したことを特徴とする請求項２に記載の建具。
【請求項４】
前記下枠には、前記係合部材に係合する係合リブを設けたことを特徴とする請求項１に記載の建具。
【請求項５】
前記係合部材には、前記縦枠に係合して前記装着溝からの脱落を阻止する係合突起を設けたことを特徴とする請求項１に記載の建具。
【請求項６】
前記係合部材には、前記縦枠の装着溝に嵌合する止水部を設けたことを特徴とする請求項１に記載の建具。
【発明の詳細な説明】
【技術分野】
【０００１】
本発明は、下枠の端部を縦枠の内周側表面に対向させて下枠を縦枠に連結した開口枠を備える建具に関するものである。
【背景技術】
【０００２】
建具の開口枠においては、縦枠の内周側表面に下枠の端部を対向させて下枠を縦枠に連結するようにしたものが一般的である。具体的には、縦枠の内周側表面に下枠の端部を当接させ、この状態から縦枠のビス挿通孔を介して下枠のビスホールにビスを螺合することにより下枠が縦枠に連結されている。この種の開口枠においては、仮に、縦枠の内部に水が浸入したとしても、縦枠の下端が開放した状態であるため、排水性の点で有利となる。
【０００３】
ところで、縦枠の内周側表面は、常に見込み方向に沿った全長が平坦であるとは限らない。例えば、特許文献１に記載された建具では、縦枠の見付け面において室外側となる部分に段部が設けられている。この縦枠では、開口枠の内周に臨む見込み面を有するように段部を構成しているため、下枠の端部に当接する縦枠の内周側表面も段状となっている。こうした建具によれば、面材の戸先に設けられた拝と称されるヒレ部を縦枠の段部よりも内周側に配置することで、ヒレ部の室外側への突出量を低減することができるようになる等の利点がある。
【先行技術文献】
【特許文献】
【０００４】
【特許文献１】特開２００７−２８４９９３号公報（図２）
【発明の概要】
【発明が解決しようとする課題】
【０００５】
上述の建具では、縦枠の内周側表面に応じて下枠の端部を段状に形成する必要がある。すなわち、下枠において縦枠の段部に対応する部分に、段部の見付け寸法に応じた突出部を形成し、下枠を縦枠に連結した場合に、下枠と縦枠との間に隙間が生じないように構成することで、開口枠の意匠性を確保するばかりでなく、水の浸入防止性能（止水性）を確保する必要がある。
【０００６】
しかしながら、縦枠の見付け面と下枠の端部から突出する突出部との当接面は、下枠の長手方向に沿ったものであるため、下枠に生じる反り等の変形の影響を受け易い。しかも、下枠と縦枠との接触面には、弾性部材によって成形したシール材を介在させるのが一般的であるため、下枠の突出部に見込み方向に沿ってシール材の反発力が作用することになる。これらの結果、上述の建具では、下枠の突出部が縦枠の見付け面から離隔し、下枠と縦枠との対向部分に隙間が生じるおそれがある。
【０００７】
尚、縦枠の段部から突出部の先端面にもビスを螺合すれば、上述の問題を解決することは可能である。しかしながら、特に突出部の見込み寸法が小さい場合には、ビスを螺合する位置が開放枠の見付け面を構成する壁部分と至近となり、ビスを螺合するためのスペースやビスを螺合するための工具を挿入するためのスペースを確保することができず、具現化することが困難である。
【０００８】
本発明は、上記実情に鑑みて、縦枠と下枠との対向面が段状となっている場合にも開口枠の止水性を確保することのできる建具を提供することを目的とする。
【課題を解決するための手段】
【０００９】
上記目的を達成するため、本発明に係る建具は、下枠の端部を縦枠の内周側表面に連結した開口枠を備える建具において、前記縦枠の見付け面には、前記開口枠の内周に臨む見込み面を有するように段部を形成するとともに、前記段部の見込み面には前記縦枠の長手方向に沿って装着溝を形成し、前記下枠の端部には、前記縦枠の見込み面に対向する第一対向部分と、前記第一対向部分よりも前記縦枠に向けて突出し、前記段部の見込み面に対向する第二対向部分とを形成し、前記縦枠の装着溝において前記下枠の第二対向部分に対向する部位に係合部材を装着し、前記第二対向部分を前記係合部材に係合させたことを特徴とする。
【００１０】
この発明によれば、装着溝に装着した係合部材を下枠の第二対向部分に係合させるようにしているため、ビスを螺合するスペースやビスを螺合するための工具を挿入するスペースを確保することができない場合にも下枠の第二対向部分が縦枠の見付け面から離隔するように変形する事態を防止できる。
【００１１】
また本発明は、上述した建具において、前記開口枠に開閉可能に支持させた面材を備え、前記面材の戸先部分には、前記段部の見付け面を覆うヒレ部を設け、前記縦枠の装着溝において前記下枠よりも上方となる部位には、前記面材のヒレ部に接触する止水材を装着したことを特徴とする。
【００１２】
この発明によれば、縦枠の装着溝に装着した止水材によって面材の戸先との間の止水性を確保することができる。
【００１３】
また本発明は、上述した建具において、前記ヒレ部は、前記面材の戸先部分から表面に沿って直線状に延在し、前記段部よりも前記開口枠の内周側に配置したことを特徴とする。
【００１４】
この発明によれば、面材によって開口枠を閉じた場合にヒレ部を縦枠の見付け面に設けた段部に配置することができ、建具の見込み方向に沿った寸法を低減することができる。
【００１５】
また本発明は、上述した建具において、前記下枠には、前記係合部材に係合する係合リブを設けたことを特徴とする。
【００１６】
この発明によれば、係合部材と係合リブとの隙間を任意に設定することができ、下枠の第二対向部分が縦枠の見付け面から離隔する事態をより確実に防止することができる。
【００１７】
また本発明は、上述した建具において、前記係合部材には、前記縦枠に係合して前記装着溝からの脱落を阻止する係合突起を設けたことを特徴とする。
【００１８】
この発明によれば、係合部材を装着溝に装着した後に縦枠から不用意に脱落するおそれがなくなり、下枠を連結する際の作業を容易化することができる。
【００１９】
また本発明は、上述した建具において、前記係合部材には、前記縦枠の装着溝に嵌合する止水部を設けたことを特徴とする。
【００２０】
この発明によれば、縦枠の装着溝に水が浸入した場合にも止水部によって水の流れを遮断することができる。
【発明の効果】
【００２１】
本発明によれば、装着溝に装着した係合部材を下枠の第二対向部分に係合させるようにしているため、ビスを螺合するスペースやビスを螺合するための工具を挿入するスペースを確保することができない場合にも下枠の第二対向部分が縦枠の見付け面から離隔するように変形する事態を防止することができ、縦枠と下枠との対向面が段状となっている場合にも開口枠の止水性を確保することが可能となる。
【図面の簡単な説明】
【００２２】
【図１】図１は、本発明の実施の形態である建具の縦断面図である。
【図２】図２は、図１に示した建具の横断面図である。
【図３】図３は、図１に示した建具の下枠と縦枠との連結部分を示す要部斜視図である。
【図４】図４は、図１に示した建具の下枠と縦枠との連結部分を示す要部分解斜視図である。
【図５−１】図５−１は、図１に示した建具の下枠と縦枠との連結部分を示す要部断面平面図である。
【図５−２】図５−２は、図１に示した建具の下枠と縦枠との連結部分を示す要部分解断面平面図である。
【図６−１】図６−１は、図１に示した建具に適用する係合部材を示した斜視図である。
【図６−２】図６−２は、図６−１における矢視Ｘ図である。
【図７−１】図７−１は、図１に示した建具に適用する係合部材を縦枠の装着溝に装着する以前の状態を示す要部底面図である。
【図７−２】図７−２は、図１に示した建具に適用する係合部材を縦枠の装着溝に装着した状態を示す要部底面図である。
【図８−１】図８−１は、図１に示した建具の縦枠に下枠を取り付ける以前を示す図である。
【図８−２】図８−２は、図１に示した建具の縦枠に係合部材を装着した状態を示す図である。
【図８−３】図８−３は、図１に示した建具の縦枠に下枠との間のシールを行うシール材を貼り付けた状態を示す図である。
【図８−４】図８−４は、図１に示した建具の縦枠に下枠を連結した状態を示す図である。
【発明を実施するための形態】
【００２３】
以下、添付図面を参照しながら本発明に係る建具の好適な実施の形態について詳細に説明する。
【００２４】
図１及び図２は、本発明の実施の形態である建具を示したものである。ここで例示する建具は、開口枠１０と、開口枠１０に開閉可能に支持させたドアパネル（面材）２０とを備えた玄関ドアである。本実施の形態では、特に、室外側から見た場合に右側が吊り元となり、左側が戸先となる玄関ドアを例示している。開口枠１０は、左右の縦枠１１，１２の間に上枠１３及び下枠１４を連結することによって矩形の開口を有するように構成したものである。開口枠１０を構成するそれぞれの枠１１，１２，１３，１４は、アルミニウム合金によって成形した押し出し形材であり、全長にわたってほぼ一様な断面形状を有している。
【００２５】
ドアパネル２０は、上骨材２１１、下骨材２１２及び左右の縦骨材２１３，２１４を四周枠組みして構成したドア枠２１と、ドア枠２１の表裏両面をそれぞれ覆う表面材２２，２３とを備えたものである。それぞれの骨材２１１，２１２，２１３，２１４は、鋼材によって成形したものであり、表面材２２，２３は、鋼板によって成形したものである。ドアパネル２０の吊り元側見込み面にはヒンジ３０が取り付けてあり、ドアパネル２０の戸先側見込み面にはカバー部材４０が取り付けてある。
【００２６】
ヒンジ３０は、２枚の取付板３１，３１をヒンジ軸３２によって互いに回転可能に連結したものである。このヒンジ３０は、ヒンジ軸３２が吊り元側にある縦骨材２１３の長手方向に沿い、かつ室外側に突出した状態で一方の取付板３１が吊り元側の縦骨材２１３に固定してある一方、他方の取付板３１が吊り元側の縦枠１１に固定してある。ヒンジ３０によって開口枠１０に支持されたドアパネル２０は、開口枠１０に対して室外側に突出するように押し開くことが可能である。
【００２７】
カバー部材４０は、平板状を成すヒレ部４１と、ヒレ部４１の一側縁から直角方向に延在した取付板部４２とを備えたものである。このカバー部材４０は、ヒレ部４１がドアパネル２０の室外側を覆う表面材２２に沿って直線状に延在した状態で、取付板部４２を介して戸先側の縦骨材２１４に固定してある。カバー部材４０のヒレ部４１は、開口枠１０に対してドアパネル２０を閉じた場合に、戸先側に位置する縦枠（以下、吊り元側の縦枠１１と区別する場合に「戸先枠１２」という）の室外に臨む見付け面に達する長さを有しており、ドアパネル２０と戸先枠１２との隙間を覆うことが可能である。
【００２８】
図１〜図４からも明らかなように、戸先枠１２は、内周側に平坦な見込み壁部１２１ａを有した中空の戸先基部１２１と、見込み壁部１２１ａに沿って連続するように室内側に突出した戸先ヒレ部１２２とを有したものである。戸先枠１２の見込み面１２Ａは、見込み壁部１２１ａの見込み面と戸先ヒレ部１２２の見込み面とによってほぼ平坦となるように構成してある。
【００２９】
この戸先枠１２には、戸先基部１２１の室外に臨む見付け面に段部１２Ｂが設けてある。段部１２Ｂは、開口枠１０の内周に臨む見込み面１２Ｂａを有するように形成したものである。段部１２Ｂの見付け方向に沿った幅は、ドアパネル２０を閉じた場合にヒレ部４１を収容することのできる寸法に設定してある。この段部１２Ｂには、見込み面１２Ｂａに開口するように装着溝１２Ｃが形成してある。装着溝１２Ｃは、開口の幅に対して内部空間の幅が大きくなるように構成したもので、戸先枠１２の全長にわたって形成してある。
【００３０】
この装着溝１２Ｃには、上枠１３と下枠１４との間となる部位に止水材５０が装着してあるとともに、下枠１４に対向する部分に嵌合開口１２Ｄが形成してある。止水材５０は、軟質の樹脂によって成形したもので、ドアパネル２０を閉じた場合にヒレ部４１に圧接し、相互間からの水の浸入を阻止するものである。嵌合開口１２Ｄは、装着溝１２Ｃの内部空間を外部に露出するように形成したほぼ正方形状の切欠である。装着溝１２Ｃにおいて嵌合開口１２Ｄを設けた部分には、係合部材６０が装着してある。
【００３１】
係合部材６０は、硬質の樹脂によって成形したもので、図６−１及び図７−２に示すように、広幅ブロック部（止水部）６１及び細幅ブロック部６２を有している。広幅ブロック部６１は、戸先枠１２に設けた装着溝１２Ｃの内部空間とほぼ同じ幅を有したもので、ほぼ正方形の外形形状を有している。細幅ブロック部６２は、装着溝１２Ｃの開口に挿通可能となる幅を有したもので、広幅ブロック部６１の一辺から突出している。広幅ブロック部６１及び細幅ブロック部６２は、いずれも装着溝１２Ｃの深さとほぼ同じ寸法の板厚を有するように構成してある。
【００３２】
また、係合部材６０は、広幅ブロック部６１から細幅ブロック部６２にわたる部位に係合ブロック部６３を有しているとともに、係合ブロック部６３に２つの係合突起６４を有している。係合ブロック部６３は、細幅ブロック部６２と同じ幅を有した直方体状部分であり、広幅ブロック部６１及び細幅ブロック部６２の正面から突出するように設けてある。係合ブロック部６３の突出端部には、先端に向けて漸次幅が小さくなるようにテーパ面６３ａが形成してある。係合突起６４は、細幅ブロック部６２の両側面から突出した三角柱状を成す突出部である。係合突起６４において係合ブロック部６３の先端側に位置する係合面６４ａは、細幅ブロック部６２に対してほぼ直角となるように形成してあり、もう一方のガイド面６４ｂは、係合ブロック部６３の先端に向けて漸次突出するように傾斜している。
【００３３】
装着溝１２Ｃに装着した係合部材６０は、細幅ブロック部６２に設けた係合突起６４の係合面６４ａがそれぞれ装着溝１２Ｃの開口縁部内面に対向した状態となり、装着溝１２Ｃから脱落する方向の移動が阻止されている。また、広幅ブロック部６１が嵌合開口１２Ｄに嵌合し、かつ細幅ブロック部６２が装着溝１２Ｃに嵌合することにより、戸先枠１２に対する上下方向に沿った移動及び見込み方向に沿った移動がそれぞれ規制された状態にある。さらに、幅広ブロック部６１としては、装着溝１２Ｃの幅及び深さとほぼ同じ寸法に成形したものを適用している。従って、係合部材６０を装着溝１２Ｃに装着した場合には、幅広ブロック部６１が装着溝１２Ｃの延在方向に沿った水の流れを遮断するように機能することになる。
【００３４】
図１、図４〜図５−２に示すように、戸先枠１２の内周側表面１２Ａ，１２Ｂａに当接される下枠１４は、基準壁部１４１、鉛直壁部１４２、額縁壁部１４３、見付け壁部１４４を有して構成してある。基準壁部１４１は、見込み方向に沿ってほぼ水平に延在する平板状部分である。鉛直壁部１４２は、基準壁部１４１の室内側に位置する縁部からほぼ鉛直方向に沿って上下に突出する平板状部分である。額縁壁部１４３は、鉛直壁部１４２の上端部から室内側に向けてほぼ水平に延在した平板状部分である。見付け壁部１４４は、基準壁部１４１の室外側に位置する縁部からほぼ鉛直方向に沿って下方に延在した後、室内側に向けて屈曲した部分である。基準壁部１４１及び額縁壁部１４３には、それぞれビスホール１４１ａ，１４３ａが設けてある。ビスホール１４１ａ，１４３ａは、下枠１４の長手方向に沿って形成した略円筒状部分であり、端面からビスＢを螺合することが可能である。
【００３５】
下枠１４において戸先枠１２に対向する端部には、第一対向部分１４Ａ及び第二対向部分１４Ｂが設けてある。第一対向部分１４Ａは、戸先枠１２の見込み面１２Ａに対向するもので、端面が見込み方向に沿ってほぼ平坦となるように構成してある。第二対向部分１４Ｂは、段部１２Ｂの見込み面１２Ｂａに対向するもので、第一対向部分１４Ａよりも戸先枠１２に向けて突出している。第二対向部分１４Ｂの寸法は、第一対向部分１４Ａを戸先枠１２の見込み面１２Ａに当接させた場合に段部１２Ｂの見込み面１２Ｂａに当接することのできるように設定してある。
【００３６】
また、下枠１４の第二対向部分１４Ｂには、係合リブ１４５が設けてある。係合リブ１４５は、基準壁部１４１の下面から下方に向けて突出した平板状部分である。係合リブ１４５を設ける位置は、下枠１４の第二対向部分１４Ｂを段部１２Ｂの見込み面１２Ｂａに対向させた場合に、装着溝１２Ｃの室内側に位置する開口縁よりもわずかに室内側に位置する部分である。
【００３７】
以下、図８−１〜図８−４を適宜参照しながら、上述した建具の開口枠１０において戸先枠１２に下枠１４を連結する手順について順次説明を行う。
【００３８】
まず、図８−１及び図８−２に示すように、広幅ブロック部６１の下方に細幅ブロック部６２が突出する姿勢で、戸先枠１２の装着溝１２Ｃ及び嵌合開口１２Ｄに係合部材６０を装着する。細幅ブロック部６２においては、装着溝１２Ｃの開口に押し込めば、係合突起６４が傾斜するガイド面６４ｂの作用によって適宜弾性変形するため、容易に装着することが可能である（スナップ・イン）。
【００３９】
次いで、図４、図８−２及び図８−３に示すように、戸先枠１２の内周側表面１２Ａ，１２Ｂａにおいて下枠１４が当接する領域よりも一回り大きい外形寸法を有したシール材７０を貼り付ける。シール材７０の段部１２Ｂに対応する部位については、図４に示すように、段部１２Ｂの見付け面１２Ｂｂ及び段部１２Ｂの見込み面１２Ｂａを覆うことができるように適宜折り曲げて貼り付けてある。また、図８−３に示すように、シール材７０において係合部材６０の係合ブロック部６３に対応する部位については、予め係合ブロック部６３を挿通することのできる窓孔７１が設けてあり、係合ブロック部６３が外部に露出された状態となる。
【００４０】
この状態から図４、図８−３及び図８−４に示すように、下枠１４の第一対向部分１４Ａを戸先枠１２の見込み面１２Ａに対向させるとともに、第二対向部分１４Ｂを段部１２Ｂの見込み面１２Ｂａに対向させた状態で下枠１４の端部を戸先枠１２の内周側表面１２Ａ，１２Ｂａに当接させ、戸先基部１２１の見込み壁部１２１ａ及び戸先ヒレ部１２２を介して下枠１４のビスホール１４１ａ，１４３ａにそれぞれビスＢを螺合させることにより、下枠１４が戸先枠１２に連結される。
【００４１】
上記のように構成した開口枠１０においては、下枠１４の端部と戸先枠１２の内周側表面１２Ａ，１２Ｂａ及び段部１２Ｂの見付け面１２Ｂｂとの間にシール材７０が介在した状態で接触することになるため、これらの隙間から水が浸入するおそれはない。また、ドアパネル２０の戸先側見込み面にカバー部材４０が設けてあるとともに、戸先枠１２の装着溝１２Ｃに装着した止水材５０がカバー部材４０のヒレ部４１に圧接する。従って、ドアパネル２０と戸先枠１２との隙間から室内側に水が浸入する事態を防止することができる。しかも、カバー部材４０のヒレ部４１は、ドアパネル２０の室外側を覆う表面材２２に沿って直線状に延在したものであり、ドアパネル２０を閉じた場合に戸先枠１２の段部１２Ｂに収容されるように構成してある。従って、この建具によれば、見込み方向に沿った寸法の薄型化を図ることが可能である。
【００４２】
また、上述したように係合部材６０の幅広ブロック部６１が装着溝１２Ｃの延在方向に沿った水の流れを遮断するように機能するため、仮に、ドアパネル２０の戸先側見込み面と戸先枠１２との隙間から浸入した水が装着溝１２Ｃに到達したとしても、幅広ブロック部６１よりも下方に至ることがなく、幅広ブロック部６１の上面から下枠１４の見込み面を経て室外に排出されることになる。従って、戸先枠１２の段部１２Ｂに装着溝１２Ｃを設けた場合にも、建具の止水性が損なわれることは無く、室内側への水の浸入を招来するおそれがない。
【００４３】
さらに、この建具によれば、下枠１４の第一対向部分１４Ａを戸先枠１２の見込み面１２Ａに当接させた際に、係合部材６０の係合ブロック部６３が第二対向部分１４Ｂにおいて見付け壁部１４４と係合リブ１４５との間に挿入された状態となる。従って、段部１２Ｂの見付け面１２Ｂｂに貼り付けたシール材７０の反発力が第二対向部分１４Ｂに作用したり、下枠１４に反り等の変形が生じたとしても、係合リブ１４５が係合部材６０の係合ブロック部６３に当接することになる。これにより、上記の建具によれば、第二対向部分１４Ｂが戸先枠１２の見付け面から離隔する方向に変形するおそれがなく、上述した戸先枠１２との止水性を確保することができる。
【００４４】
しかも、係合部材６０は、戸先枠１２の段部１２Ｂに設けた装着溝１２Ｃに装着するものであり、段部１２Ｂの見込み寸法が小さい場合であっても装着溝１２Ｃへの装着作業が煩雑になることもない。また、係合部材６０の細幅ブロック部６２には係合突起６４が設けてある。従って、戸先枠１２の装着溝１２Ｃに係合部材６０を装着した状態で下枠１４の端部を戸先枠１２の内周側表面１２Ａ，１２Ｂａに当接させる際に、仮に下枠１４が係合部材６０に接触したとしても不用意に脱落する事態を招来するおそれがなく、下枠１４の取り付け作業を容易に行うことができる。
【００４５】
尚、上述した実施の形態では、下枠１４と戸先枠１２との間を連結する例を示しているが、上枠１３と戸先枠１２との間にも適用することが可能である。また、玄関ドアを例示しているが、開き窓等、その他の建具にも適用することが可能である。
【符号の説明】
【００４６】
１０  開口枠、１２  戸先枠、１２Ａ  戸先枠の見込み面、１２Ａ，１２Ｂａ  内周側表面、１２Ｂ  段部、１２Ｂａ  段部の見込み面、１２Ｂｂ  見付け面、１２Ｃ  装着溝、１４  下枠、１４Ａ  第一対向部分、１４Ｂ  第二対向部分、２０  ドアパネル、４１  ヒレ部、５０  止水材、６０  係合部材、６４  係合突起、１４５  係合リブ
【図１】
2017020161.tif 000003
【図２】
2017020161.tif 000004
【図３】
2017020161.tif 000005
【図４】
2017020161.tif 000006
【図５−１】
2017020161.tif 000007
【図５−２】
2017020161.tif 000008
【図６−１】
2017020161.tif 000009
【図６−２】
2017020161.tif 000010
【図７−１】
2017020161.tif 000011
【図７−２】
2017020161.tif 000012
【図８−１】
2017020161.tif 000013
【図８−２】
2017020161.tif 000014
【図８−３】
2017020161.tif 000015
【図８−４】
2017020161.tif 000016